(57)【要約】【課題】ズームの作動状況を容易に把握できるカメラを提供する。【解決手段】ズーム機能付きのカメラ１０において、ズーム機能の作動状態に応じてスピーカ２８から所定のズーム作動音が出力される。これにより、ファインダやモニタを見なくても聴覚的にズームの作動状況を把握することができ、操作性が向上する。【選択図】    図３
2004170742.tif 000002
【特許請求の範囲】
【請求項１】
ズーム機能を備えたカメラにおいて、
前記ズーム機能の作動状態を検出する検出手段と、
所定のズーム作動音を出力するズーム作動音出力手段と、
前記検出手段の検出結果に基づいて前記ズーム作動音出力手段を制御する制御手段であって、前記ズーム機能の作動状態に応じて前記ズーム作動音出力手段から所定のズーム作動音を出力させる制御手段と、
を備えたことを特徴とするカメラ。
【請求項２】
前記制御手段は、ズームの開始時と終了時に所定のズーム作動音を前記ズーム作動音出力手段から出力させることを特徴とする請求項１に記載のカメラ。
【請求項３】
前記制御手段は、ズームの作動時に所定のズーム作動音を前記ズーム作動音出力手段から連続的に出力させることを特徴とする請求項１に記載のカメラ。
【請求項４】
前記制御手段は、焦点距離の変化に応じてズーム作動音を変化させて前記ズーム作動音出力手段から出力させることを特徴とする請求項３に記載のカメラ。
【請求項５】
前記制御手段は、ズームがテレ端及びワイド端に到達すると、前記ズーム作動音出力手段から所定のズーム作動音を出力させることを特徴とする請求項１に記載のカメラ。
【請求項６】
前記カメラはデジタルカメラであって、光学ズーム機能とデジタルズーム機能とを有し、前記制御手段は、前記光学ズームと前記デジタルズームとが切り替わると、前記ズーム作動音出力手段から所定のズーム作動音を出力させることを特徴とする請求項１に記載のカメラ。
【請求項７】
前記カメラはデジタルカメラであって、光学ズーム機能とデジタルズーム機能とを有し、前記制御手段は、ズームの作動時に所定のズーム作動音を前記ズーム作動音出力手段から連続的に出力させるとともに、前記光学ズームの作動時と前記デジタルズームの作動時とで異なるズーム作動音を出力させることを特徴とする請求項１に記載のデジタルカメラ。
【請求項８】
前記ズーム作動音の出力機能をＯＮ／ＯＦＦ切り替える切替手段を備え、該切替手段がＯＦＦにされると、前記制御手段は、前記ズーム作動音出力手段からのズーム作動音の出力を停止することを特徴とする請求項１、２、３、４、５、６又は７に記載のカメラ。
【請求項９】
前記カメラは、静止画を撮影する静止画撮影機能と、音声付き動画を撮影する動画撮影機能とを備えたデジタルカメラであって、前記静止画撮影機能と前記動画撮影機能とを選択的に切り替える撮影機能切替手段を備え、前記制御手段は、前記動画撮影機能が選択されると、前記ズーム作動音出力手段からのズーム作動音の出力を停止することを特徴とする請求項１、２、３、４、５、６、７又は８に記載のカメラ。
【請求項１０】
前記ズーム機能がリモコンによって遠隔操作されることを特徴とする請求項１、２、３、４、５、６、７、８又は９に記載のカメラ。
【発明の詳細な説明】
【０００１】
【発明の属する技術分野】
本発明はカメラに係り、特にズーム機能を備えたカメラに関する。
【０００２】
【従来の技術】
銀塩、デジタルを問わずズーム機能を備えたコンパクトカメラの場合、一般にズームの操作はボタン操作によって行なわれ、その作動状態の確認はファインダ（モニタ）によって行なわれる。
【０００３】
また、光学式のズーム機構を備えたカメラの場合、そのズームの駆動はモータによって行なわれ、ズームの作動に際してモータの駆動音が発生する。撮影者は、このモータの駆動音によってズームの作動状態を確認できるが、近年、カメラは消音化の傾向があり、外装体の内側に吸音材を設けたり（特許文献１）、モータの駆動制御の方法を工夫したりして（特許文献２）、なるべくモータの駆動音がしないようにしている。
【０００４】
【特許文献１】
特開２００２−９０８３３号公報
【０００５】
【特許文献２】
特開２０００−２４９８９９号公報
【０００６】
【発明が解決しようとする課題】
しかしながら、ズームの操作時にモータの駆動音がしなくなると、過去の経験から撮影者はズームの機能が正常に作動しているのか否か判別しづらくなるという欠点がある。
【０００７】
特にデジタルズームの機能を備えたデジタルカメラの場合、ズームを作動させても全く作動音がしないので、ズームの作動状況を全く把握できなくなるという欠点がある。
【０００８】
また、リモコン撮影時などファインダ（モニタ）を見ながら撮影できない場合などには、視覚的にもズームの作動状況が確認できないため、更にズームの作動状況を把握しづらくなるという欠点がある。
【０００９】
一方、常にモータの駆動音がすると、耳障りになる場合があるとともに、音声付き動画の撮影機能を備えたデジタルカメラの場合には、モータの駆動音まで同時に記録されてしまうという欠点がある。
【００１０】
本発明はこのような事情に鑑みてなされたもので、ズームの作動状況を容易に把握できるカメラを提供することを目的とする。
【００１１】
【課題を解決するための手段】
請求項１に係る発明は、前記目的を達成するために、ズーム機能を備えたカメラにおいて、前記ズーム機能の作動状態を検出する検出手段と、所定のズーム作動音を出力するズーム作動音出力手段と、前記検出手段の検出結果に基づいて前記ズーム作動音出力手段を制御する制御手段であって、前記ズーム機能の作動状態に応じて前記ズーム作動音出力手段から所定のズーム作動音を出力させる制御手段と、を備えたことを特徴とするカメラを提供する。
【００１２】
本発明によれば、ズーム操作すると、ズーム機能の作動状態に応じてズーム作動音出力手段から所定のズーム作動音が出力される。これにより、ファインダやモニタを見なくても聴覚的にズームの作動状況を把握することができるようになり、操作性が向上する。
【００１３】
また、請求項２に係る発明は、前記目的を達成するために、前記制御手段は、ズームの開始時と終了時に所定のズーム作動音を前記ズーム作動音出力手段から出力させることを特徴とする請求項１に記載のカメラを提供する。
【００１４】
本発明によれば、ズーム操作すると、ズームの開始時と終了時に所定のズーム作動音がズーム作動音出力手段から出力される。これにより、ズームの作動開始と終了を聴覚的に把握できるようになり、操作性が向上する。
【００１５】
また、請求項３に係る発明は、前記目的を達成するために、前記制御手段は、ズームの作動時に所定のズーム作動音を前記ズーム作動音出力手段から連続的に出力させることを特徴とする請求項１に記載のカメラを提供する。
【００１６】
本発明によれば、ズーム操作すると、ズームの作動開始から終了まで連続的にズーム作動音がズーム作動音出力手段から出力される。これにより、ズームの作動状態を聴覚的に把握できるようになり、操作性が向上する。
【００１７】
また、請求項４に係る発明は、前記目的を達成するために、前記制御手段は、焦点距離の変化に応じてズーム作動音を変化させて前記ズーム作動音出力手段から出力させることを特徴とする請求項３に記載のカメラを提供する。
【００１８】
本発明によれば、ズーム作動音が焦点距離（デジタルズームによる擬似的な焦点距離の変化を含む）に応じて変化する。これにより、より詳細にズームの作動状態を聴覚的に把握できるようになる。
【００１９】
また、請求項５に係る発明は、前記目的を達成するために、前記制御手段は、ズームがテレ端及びワイド端に到達すると、前記ズーム作動音出力手段から所定のズーム作動音を出力させることを特徴とする請求項１に記載のカメラを提供する。
【００２０】
本発明によれば、ズーム操作して、ズームがテレ端及びワイド端に到達すると、ズーム作動音出力手段から所定のズーム作動音が出力される。これにより、ズームの終点を聴覚的に把握できるようになり、操作性が向上する。
【００２１】
また、請求項６に係る発明は、前記目的を達成するために、前記カメラはデジタルカメラであって、光学ズーム機能とデジタルズーム機能とを有し、前記制御手段は、前記光学ズームと前記デジタルズームとが切り替わると、前記ズーム作動音出力手段から所定のズーム作動音を出力させることを特徴とする請求項１記載のカメラを提供する。
【００２２】
本発明によれば、光学ズーム機能とデジタルズーム機能とを備えたデジタルカメラにおいて、光学ズームとデジタルズームとが切り替わると、ズーム作動音出力手段から所定のズーム作動音が出力される。これにより、ズーム機能の切り替わりを聴覚的に把握できるようになり、操作性が向上する。
【００２３】
また、請求項７に係る発明は、前記目的を達成するために、前記カメラはデジタルカメラであって、光学ズーム機能とデジタルズーム機能とを有し、前記制御手段は、ズームの作動時に所定のズーム作動音を前記ズーム作動音出力手段から連続的に出力させるとともに、前記光学ズームの作動時と前記デジタルズームの作動時とで異なるズーム作動音を出力させることを特徴とする請求項１に記載のデジタルカメラを提供する。
【００２４】
本発明によれば、光学ズーム機能とデジタルズーム機能とを備えたデジタルカメラにおいて、光学ズーム時とデジタルズーム時で異なるズーム作動音がズーム作動音出力手段から出力される。これにより、ズーム機能の切り替わりを聴覚的に把握できるようになり、操作性が向上する。
【００２５】
また、請求項８に係る発明は、前記目的を達成するために、前記ズーム作動音の出力機能をＯＮ／ＯＦＦ切り替える切替手段を備え、該切替手段がＯＦＦにされると、前記制御手段は、前記ズーム作動音出力手段からのズーム作動音の出力を停止することを特徴とする請求項１、２、３、４、５、６又は７に記載のカメラを提供する。
【００２６】
本発明によれば、ズーム作動音の出力を任意にＯＮ／ＯＦＦ切り替えることができる。これにより、必要に応じてズームの作動音を出力させることができ、使い勝手が向上する。
【００２７】
また、請求項９に係る発明は、前記目的を達成するために、前記カメラは、静止画を撮影する静止画撮影機能と、音声付き動画を撮影する動画撮影機能とを備えたデジタルカメラであって、前記静止画撮影機能と前記動画撮影機能とを選択的に切り替える撮影機能切替手段を備え、前記制御手段は、前記動画撮影機能が選択されると、前記ズーム作動音出力手段からのズーム作動音の出力を停止することを特徴とする請求項１、２、３、４、５、６、７又は８に記載のカメラを提供する。
【００２８】
本発明によれば、音声付き動画を撮影する際は自動的にズーム作動音の出力が停止される。これにより、音声付き動画にズーム作動音が同時に記録されるのを防止できる。
【００２９】
また、請求項１０に係る発明は、前記目的を達成するために、前記ズーム機能がリモコンによって遠隔操作されることを特徴とする請求項１、２、３、４、５、６、７、８又は９に記載のカメラを提供する。
【００３０】
本発明によれば、ファインダやモニタが見れないリモコン撮影時にも聴覚的にズームの作動状況を把握することができるようになり、操作性が向上する。
【００３１】
【発明の実施の形態】
以下、添付図面に従って本発明に係るカメラの好ましい実施の形態について詳説する。
【００３２】
図１、図２は、それぞれ本発明に係るカメラの一実施形態を示す正面斜視図と背面斜視図である。このカメラ１０は、フィルムの代りに撮像素子を用いて画像をデジタル信号に変換し、記録メディアに記録するデジタルカメラである。
【００３３】
図１、図２に示すように、扁平状の四角い箱型に形成されたカメラボディ１２の正面には、電源スイッチ１４、撮影レンズ１６、ストロボ１８、ファインダ窓２０、リモコン受信窓２２等が設けられている。また、カメラボディ１２の上面にはレリーズボタン２４とマイク２６が設けられており、右側面にはスピーカ２８が設けられている。また、カメラボディ１２の背面にはファインダ接眼部３０、液晶モニタ３２、モードスイッチ３４、ズームボタン３６、マクロボタン３８、ストロボボタン４０、ＭＥＮＵ／ＯＫボタン４２、ＢＡＣＫボタン４４、表示ボタン４６が設けられている。
【００３４】
カメラボディ１２の正面左隅に設けられた電源スイッチ１４は、カメラ１０のグリップとして機能し、その表面には指がかりとなる円弧状の凸部が形成されている。カメラ１０の電源は、この電源スイッチ１４をカメラボディ１２の正面に沿ってスライド操作することによりＯＮ／ＯＦＦされる。
【００３５】
撮影レンズ１６は、沈胴式のズームレンズで構成されており、カメラ１０の電源をオンにすることにより、カメラボディ１２の正面から繰り出される（スチル又はムービーモード時）。そして、カメラ１０の電源をオフにすることにより、カメラボディ１２内に沈胴する。
【００３６】
リモコン受信窓２２は、リモコン４８から送出される操作信号を受信する。リモコン４８は、レリーズボタン４８Ａとズームボタン４８Ｂ、４８Ｂとを備えており、カメラ１０は、このリモコン４８によってレリーズとズームが遠隔操作される。
【００３７】
カメラボディ１２の上面に設けられたレリーズボタン２４は、いわゆる「半押し」と「全押し」の２段ストロークタイプのボタンで構成されており、「半押し」でＡＦ（Ａｕｔｏ  Ｆｏｃｕｓ：自動焦点合わせ）、ＡＥ（Ａｕｔｏ  Ｅｘｐｏｓｕｒｅ  ：自動露出）が機能し、「全押し」で撮影が実行される。
【００３８】
カメラボディ１２の背面に設けられた液晶モニタ３２は、撮影した画像の再生用モニタとして使用される。また、撮影時にはスルー画像を表示して画角確認用の電子ビューファインダとして使用され、表示ボタン４６は、この電子ビューファインダのＯＮ／ＯＦＦ切替ボタンとして機能する。
【００３９】
モードスイッチ３４は、カメラ１０のモード切替スイッチとして機能し、その設定位置によって静止画の撮影を行なう「スチルモード」と、音声付き動画の撮影を行なう「ムービーモード」と、撮影した画像を再生する「再生モード」とに設定される。
【００４０】
ズームボタン３６は、上下方向に揺動自在なシーソーボタンで構成されており、ズームの操作ボタンとして機能する。すなわち、スチル又はムービーモードの下、このズームボタン３６を上方向に操作することにより、ズームがテレ方向に操作され、下方向に操作することにより、ワイド方向に操作される。
【００４１】
また、このズームボタン３６は、再生モードの下、再生画像のズームボタンとしても機能する。すなわち、再生モード下、このズームボタン３６を上方向に操作することにより、再生画像が拡大表示され、下方向に操作することにより、縮小表示される。
【００４２】
マクロボタン３８は、マクロ機能（接写機能）のＯＮ／ＯＦＦ切替ボタンとして機能し、スチルモードの下、このマクロボタン３８を押圧操作することにより、マクロ機能がＯＮ／ＯＦＦされる。また、このマクロボタン３８は、再生モードの下、コマ戻しボタン（１コマ前の画像が表示されるように指示するボタン）として機能する。
【００４３】
ストロボボタン４０は、ストロボモードの切替ボタンとして機能し、スチルモードの下、このストロボボタン４０を押圧操作することにより、ストロボモードが、オート／赤目軽減／強制発光／発光禁止／スローシンクロの各モードに設定される。また、このストロボボタン４０は、再生モードの下、コマ送りボタン（１コマ後の画像が表示されるように支持するボタン）として機能する。
【００４４】
ＭＥＮＵ／ＯＫボタン４２は、メニュー画面の表示を指示するボタンとして機能し、このＭＥＮＵ／ＯＫボタン４２が押されることにより、液晶モニタ３２にメニュー画面が表示される。
【００４５】
また、このＭＥＮＵ／ＯＫボタン４２は、メニュー画面から選択した項目の確定、動作の実行を指示するボタンとして機能し、ＢＡＣＫボタン４４は、メニュー画面で選んだ項目の取消を指示するボタンとして機能する。
【００４６】
なお、このメニュー画面が表示されている場合において、ズームボタン３６、マクロボタン３８、ストロボボタン４０の３つのボタンは、十字キーとして機能し、この３つのボタンを利用してメニュー項目の選択等が行なわれる。
【００４７】
図３はカメラ１０の内部構造を示すブロック図である。同図に示すように、カメラ１０の内部には、操作スイッチ回路部５０、リモコン受信部５２、メモリ部５４、ＤＳＰ（Ｄｉｇｉｔａｌ  Ｓｉｇｎａｌ  Ｐｒｏｃｅｓｓｏｒ）５６、固体撮像素子（ＣＣＤ）５８、カメラ信号処理回路６０、表示信号処理回路６２、記録／再生処理回路６４、レンズ駆動回路６６、音声信号処理回路６８等が備えられている。
【００４８】
カメラボディ１２に設けられた電源スイッチ１４、レリーズボタン２４、モードスイッチ３４、ズームボタン３６等の各操作部材の操作情報は、操作スイッチ回路部５０で個別に検出され、操作信号としてＤＳＰ５６に入力される。
【００４９】
また、リモコン４８から送出された操作信号は、リモコン受信窓２２を介してリモコン受信部５２で受信され、ＤＳＰ５６に入力される。
【００５０】
システム制御回路、メモリ制御回路及び画像信号処理回路等を含むＤＳＰ５６は、これらの操作系から入力される操作信号に基づいてシステムを統括的に制御し、撮影及び再生処理を実行する。
【００５１】
メモリ部５４のＦＬＡＳＨＲＯＭには、ＤＳＰ５６が行なう制御プログラムや制御に必要な各種設定データ等が記録されている。また、ＤＳＰ５６は、このメモリ部５４に含まれるＳＤＲＡＭを作業用メモリとして各種処理を実行する。
【００５２】
撮影レンズ１６を通過した光は、図示しない絞りによって光量が調節された後、ＣＣＤ５８の受光面に入射される。ＣＣＤ５８の受光面には、多数のフォトセンサが平面的に配列されており、ＣＣＤ５８の受光面に結像された被写体像は、各フォトセンサによって入射光量に応じた量の信号電荷に変換され、映像信号としてカメラ信号処理回路６０に出力される。
【００５３】
カメラ信号処理回路６０は、相関二重サンプリング処理回路、増幅器、Ａ／Ｄ変換器等を含み、ＣＣＤ５８から出力されたアナログの映像信号に対してサンプリングホールド、色分離、ゲイン調整等の所定の処理が施した後、デジタルの映像信号に変換してＤＳＰ５６に出力する。
【００５４】
ＤＳＰ５６は、入力された映像信号に対してオフセット処理、ホワイトバランス補正及び感度補正を含むゲイン・  コントロール処理、ガンマ補正処理等の所定の信号処理を行い、メモリ部５４のＶＲＡＭに格納する。
【００５５】
スルー画像を表示出力する場合は、ＶＲＡＭから画像データが読み出され、表示信号処理回路６２に転送される。表示信号処理回路６２に送られたデータは、ここで表示用の所定方式の信号（たとえばＮＴＳＣ方式のカラー複合映像信号）に変換された後、液晶モニタ３２に出力される。
【００５６】
静止画像の記録は、スチルモードの下、レリーズボタン２４の押下により行なわれる。この場合、まず、レリーズボタン２４の半押しでＡＥ・ＡＦ・ＡＷＢ制御が行なわれ、その後、レリーズボタン２４が全押しされることにより、画像データの取り込みが行なわれる。取り込まれた画像データは、ＤＳＰ５６にて所定の信号処理が施されたのち、所定の圧縮方式（たとえばＪＰＥＧ方式）  で圧縮され、記録／再生処理回路６４を介して記録メディア７０に記録される。
【００５７】
音声付き動画の記録は、ムービーモードの下、レリーズボタン２４の全押しでスタートし、再度レリーズボタン２４を全押しすることにより停止する。この際、外部音声はマイク２６によって電気信号に変換され、音声信号処理回路６８を介して動画データと共に記録メディア７０に記録される。動画データは、たとえばモーションＪＰＥＧ方式によって記録メディア７０に記録される。
【００５８】
記録メディア７０に記録された画像データは、再生モードの下、記録／再生処理回路６４を介して記録メディア７０から読み出され、ＤＳＰ５６にて伸張処理が施された後、メモリ部５４のＶＲＡＭに格納される。そして、ＶＲＡＭから表示信号処理回路６２を介して液晶モニタ３２に出力される。なお、動画像の場合は、動画データと共に音声データが記録メディア７０から読み出され、音声信号処理回路６８を介してスピーカ２８から出力される。
【００５９】
さて、上述したように本実施の形態のカメラ１０は、撮影レンズ１６がズームレンズで構成されており、スチル又はムービーモードの下、カメラボディ１２に備えられたズームボタン３６を操作することによって焦点距離が変更される。
【００６０】
ズームボタン３６の操作情報は、操作スイッチ回路部５０を介してＤＳＰ５６に出力され、ＤＳＰ５６は、このズームボタン３６の操作情報に基づいてレンズ駆動回路６６に駆動信号を出力し、ズームモータ７２を駆動する。これにより、撮影レンズ１６を構成するズームレンズ群１６Ａが光軸に沿って移動し、撮影レンズ１６の焦点距離が変化する。ズームエンコーダ７４は、この撮影レンズ１６の焦点距離を検出し、ＤＳＰ５６に出力する。
【００６１】
また、この撮影レンズ１６がズーム操作されると、ＤＳＰ５６は、ズームの作動状態に応じて音声信号処理回路６８に所定の音声信号を出力し、スピーカ２８から所定のズーム作動音を出力させる。すなわち、ズームエンコーダ７４によって検出される撮影レンズ１６の焦点距離の変化状況に応じて所定の音声信号を音声信号処理回路６８に出力し、スピーカ２８から所定のズーム作動音を出力させる。
【００６２】
ここで、ズーム作動音の出力パターンは複数用意されており、メニュー画面からユーザが選択できるようにされている。以下、このズーム作動音の出力パターンについて説明する。
【００６３】
第１のパターンは、ズームの作動開始時と終了時にズーム作動音を出力するもので、撮影レンズ１６の焦点距離が変化すると、その変化の開始時と終了時にスピーカ２８から所定のズーム作動音（たとえば「ピッ」という音）を出力させる。
【００６４】
第２のパターンは、ズームの作動開始から終了まで連続的にズーム作動音を出力するもので、撮影レンズ１６の焦点距離が変化すると、その変化中連続してスピーカ２８から所定のズーム作動音（たとえば「ピッピッピッ…」という連続音）を出力させる。
【００６５】
第３のパターンは、焦点距離に連動してズーム作動音を変化させるもので、撮影レンズ１６の焦点距離がワイド側からテレ側に変化すると、その変化に連動してズーム作動音（たとえば「ピッピッピッ…」という連続音）が徐々に大きくなるようにスピーカ２８から出力させる（テレ側からワイド側に変化させた場合は、逆に徐々に小さくなるように出力させる。）。
【００６６】
第４のパターンは、ズームのテレ端及びワイド端で所定のズーム作動音を出力するもので、ズームのテレ端又はワイド端に到達すると、スピーカ２８から所定のズーム作動音（たとえば「ピッ」という音）を出力させる。
【００６７】
なお、上記第１のパターン〜第３のパターンは択一的に選択するものとし、第４のパターンは個別に選択できるものとする。
【００６８】
また、ズーム作動音の出力は、メニュー画面でＯＮ／ＯＦＦを任意に選択できるものとし、その作動音の大きさもメニュー画面で設定できるものとする（たとえば、大・中・小の３つから選択して設定）。
【００６９】
また、本実施の形態のカメラ１０は、リモコン４８によってズームを遠隔操作することができることから、このリモコン４８によるズーム操作時も所定のズーム作動音をスピーカ２８から出力させることができるものとする。
【００７０】
さらに、ムービーモードが選択されている場合、当該ズーム作動音の出力機能は自動的にＯＦＦにされるものとする。すなわち、ＤＳＰ５６は、操作スイッチ回路部５０を介してモードスイッチ３４がムービーモードに設定されたことを検出すると、ズーム作動音の出力機能をＯＦＦにする。これにより、音声付き動画にズーム作動音が記録されるのを防止することができる。
【００７１】
このように、本実施の形態のカメラ１０は、ズームの作動状況に応じてカメラボディ１２に設けられたスピーカ２８から所定のズーム作動音が出力される。これにより、ユーザは液晶モニタ又はファインダを確認しなくても、ズームの作動状態を聴覚的に把握することができ、使い勝手が向上する。
【００７２】
なお、上記のズーム作動音の出力パターンは一例であり、たとえば第１のパターンにおいて、ズームの作動開始時と終了時とで異なるズーム作動音を出力させてもよい。たとえば、開始時に「ピッ」という音を出力させ、終了時に「ピピッ」という音を出力させる。
【００７３】
また、第２のパターンにおいて、モータの擬似音を出力するようにしてもよい。この場合、モータの擬似音を音声ファイルとしてメモリ部５４のＦＬＡＳＨＲＯＭに記録しておく。
【００７４】
さらに、第３のパターンにおいて、音の大きさを変化させるのではなく、音の間隔や高低を変化させるようにしてもよい。
【００７５】
また、第４のパターンにおいて、ズームのテレ端とワイド端とで異なるズーム作動音を出力させてもよい。たとえば、ワイド端に到達すると「ピッ」という音を出力させ、テレ端に到達すると「ピピッ」という音を出力させる。
【００７６】
次に、本発明に係るカメラの第２の実施の形態について説明する。第２の実施の形態のカメラは、上述した第１の実施の形態のカメラにデジタルズームの機能を付加したものである。
【００７７】
デジタルズームは、ＣＣＤの受光面に結像された被写体像の一部を取り出し、拡大して表示することにより、擬似的に焦点距離を変化させるものであり、メニュー画面で当該機能のＯＮ／ＯＦＦが設定される。このデジタルズームの機能がＯＮにされている場合、撮影レンズ１６のズーム（光学ズーム）がテレ端に到達すると、デジタルズームに移行する。
【００７８】
すなわち、ＤＳＰ５６は、ズームエンコーダ７４によって検出される撮影レンズ１６の焦点距離がテレ端に到達したことを検出すると、ズームボタン３６の操作情報に基づいてＣＣＤ５８から取り込む画像をデジタルズーム処理する。
【００７９】
本実施の形態のカメラでは、このデジタルズーム時にも所定のズーム作動音をスピーカ２８から出力させる。このズーム作動音の出力パターンは、上述した第１の実施の形態のカメラと同様に複数のパターンが用意されており、メニュー画面からユーザが選択できるようにされている。以下、このズーム作動音の出力パターンについて説明する。
【００８０】
第１のパターンは、光学ズームとデジタルズームの切り替わり時にズーム作動音を出力するもので、光学ズームのテレ端からデジタルズームのワイド端に移行する際、あるいは、デジタルズームのワイド端から光学ズームのテレ端に移行する際、スピーカ２８から所定のズーム作動音（たとえば「ピッ」という音）を出力させる。
【００８１】
第２のパターンは、光学ズームの領域とデジタルズームの領域とで異なるズーム作動音を出力させるもので、ズームの作動開始から終了まで連続的にズーム作動音を出力し、光学ズームからデジタルズームに移行すると、又はデジタルズームから光学ズームに移行すると、異なるズーム作動音をスピーカ２８から出力させる。たとえば、光学ズーム領域では、「ピッピッピッ…」という連続音を出力させ、デジタルズーム領域では、「ピピッピピッピピッ…」という連続音を出力させる。
【００８２】
第３のパターンは、デジタルズームの領域でのみズーム作動音を出力するもので、デジタルズームが作動すると、その開始から終了までスピーカ２８から所定のズーム作動音（たとえば、擬似モータ音等）を出力させる。この場合、画角の変化に応じてズーム作動音を変化させてもよい。
【００８３】
第４のパターンは、上述した第１の実施の形態のカメラと同様にズームの作動開始時と終了時にズーム作動音を出力するもので、光学ズーム、デジタルズームを問わずにズームの開始時と終了時にスピーカ２８から所定のズーム作動音（たとえば「ピッ」という音）を出力させる。
【００８４】
第５のパターンは、焦点距離に連動してズーム作動音を変化させるもので、焦点距離がワイド側からテレ側に変化すると、その変化に連動してズーム作動音が徐々に大きくなるようにスピーカ２８から出力させる。この場合、光学ズームの領域とデジタルズームの領域とで異なるズーム作動音を出力させる。
【００８５】
第６のパターンは、ズームのテレ端及びワイド端で所定のズーム作動音を出力するもので、デジタルズームのテレ端又は光学ズームのワイド端に到達すると、スピーカ２８から所定のズーム作動音を出力させる。
【００８６】
このズーム作動音の出力は、上記の第１の実施の形態のカメラと同様にメニュー画面でＯＮ／ＯＦＦを任意に選択できるものとし、また、ムービーモードが選択された場合は、自動的にＯＦＦにされるものとする。
【００８７】
このように、本実施の形態のカメラは、ズームの作動状況に応じてカメラボディ１２に設けられたスピーカ２８から所定のズーム作動音が出力される。これにより、ユーザは液晶モニタ又はファインダを確認しなくても、ズームの作動状態を聴覚的に把握することができ、使い勝手が向上する。
【００８８】
特にデジタルズームの場合は、モータの作動音等が一切しないので、本実施の形態のようにズームの作動音を出力することにより、ズームの作動状況を容易に把握することができるようになる。
【００８９】
また、光学ズームとデジタルズームの切り替わりを容易に把握することができ、使い勝手が向上する。
【００９０】
以上、一連の実施の形態で説明したように、本発明によれば、ズームの作動状況に応じて所定のズーム作動音が出力されるので、ユーザは液晶モニタ又はファインダを確認しなくても、ズームの作動状態を聴覚的に把握することができ、使い勝手が向上する。
【００９１】
なお、上記一連の実施の形態では、本発明をデジタルカメラに適用した例で説明したが、本発明はズーム機能を備えた銀塩カメラにも同様に適用することができる。
【００９２】
また、上記第２の実施の形態では、本発明を光学ズームとデジタルズームの２つのズーム機能を備えたカメラに適用した例で説明したが、デジタルズームのみ備えたカメラにも適用することができる。
【００９３】
また、上記の一連の実施の形態では、ズーム作動音をスピーカから出力しているが、ブザー等で出力してもよい。
【００９４】
さらに、ズーム作動音を複数用意しておき、ユーザが任意に設定できるようにしてもよい。
【００９５】
また、カメラボディに組み込むズームモータに関しては、消音措置（たとえば、作動音の小さいモータを組み込んだり、モータを吸音材で覆う等）を施すことが好ましい。これにより、ムービーモード時に不要なモータ作動音が録音されるのを防止できると共に、ズーム作動音のＯＮ／ＯＦＦをメニューによる設定で自由にコントロールすることができるようになる。
【００９６】
【発明の効果】
以上説明したように、本発明によれば、ズーム機能の作動状態に応じてズーム作動音出力手段から所定のズーム作動音が出力されるので、ファインダやモニタを見なくても聴覚的にズームの作動状況を把握することができ、操作性が向上する。
【図面の簡単な説明】
【図１】本発明が適用されたカメラの一実施形態を示す正面斜視図
【図２】本発明が適用されたカメラの一実施形態を示す背面斜視図
【図３】カメラの内部構造を示すブロック図
【符号の説明】
１０…カメラ、１２…カメラボディ、１４…電源スイッチ、１６…撮影レンズ、１８…ストロボ、２０…ファインダ窓、２２…リモコン受信窓、２４…レリーズボタン、２６…マイク、２８…スピーカ、３０…ファインダ接眼部、３２…液晶モニタ、３４…モードスイッチ、３６…ズームボタン、３８…マクロボタン、４０…ストロボボタン、４２…ＭＥＮＵ／ＯＫボタン、４４…ＢＡＣＫボタン、４６…表示ボタン、４８…リモコン、５０…操作スイッチ回路部、５２…リモコン受信部、５４…メモリ部、５６…ＤＳＰ（Ｄｉｇｉｔａｌ  Ｓｉｇｎａｌ  Ｐｒｏｃｅｓｓｏｒ）、５８…固体撮像素子（ＣＣＤ）、６０…カメラ信号処理回路、６２…表示信号処理回路、６４…記録／再生処理回路、６６…レンズ駆動回路、６８…音声信号処理回路、７０…記録メディア、７２…ズームモータ、７４…ズームエンコーダ
【図１】
2004170742.tif 000003
【図２】
2004170742.tif 000004
【図３】
2004170742.tif 000005